【事件の表示】
　特願２００６−３３００４４「表示装置」拒絶査定不服審判事件〔平成２０年　６月２６日出願公開、特開２００８−１４５５５１〕について、次のとおり審決する。
【結　論】
　本件審判の請求は、成り立たない。
【理　由】
第１　手続の経緯・本願発明
　本願は、平成１８年１２月６日の出願であって、平成２１年２月２日及び同年５月１８日に手続補正がなされ、同年６月１５日付けで前記平成２１年５月１８日付け手続補正が却下されるとともに同日付けで拒絶査定がなされ、これに対し、同年９月１７日付けで拒絶査定不服審判請求がなされるとともに、これと同時に手続補正がなされ、その後当審において、平成２２年１０月１２日付けで拒絶理由が通知され、同年１２月１３日に手続補正がなされたものである。
　
　そして、本願の請求項に係る発明は、平成２２年１２月１３日付け手続補正による補正後の特許請求の範囲の請求項１に記載された以下の事項によって特定されるものと認められる。
　
「【請求項１】
　映像信号に応じて駆動されるパネルと、
　前記パネルを照明するための光を発する光源と、
　前記パネルと前記光源との間に設けられた光源像分割シートと、
　前記パネルと前記光源像分割シートとの間に設けられた拡散シートと、
　前記パネルと前記拡散シートとの間に設けられたレンズシートと、
　前記パネルを駆動する駆動手段と
　を備え、
　前記光源像分割シートは、当該光源像分割シートの底面と平行な平面に沿って延在する複数の柱状のプリズムを連続的に並列配置してなり、
　前記レンズシートは、当該レンズシートの底面と平行な平面に沿って延在する複数の柱状のプリズムを連続的に配列するとともに、各プリズムの延在方向が前記光源像分割シートの各プリズムの延在方向と互いに直交するように配置してなり、
　前記レンズシートの各プリズムの配列方向の幅が１１０μｍ以上２００μｍ以下であり、
　前記パネルは、複数の画素ｕを有し、
　各画素ｕは、複数色のドットを同色につき複数個有し、
　前記ドットは、ストライプ配列となっており、
　前記駆動手段は、各画素ｕ中に含まれる同色の複数のドットにおいて明暗が生じるように前記パネルを駆動すると共に、ストライプ配列方向において、各画素ｕ中に含まれる同色の複数のドットにおいて明に相当するドットと、各画素ｕ中に含まれる同色の複数のドットにおいて暗に相当するドットとが交互に配列されるように前記パネルを駆動する
　表示装置。」（以下「本願発明」という。）
　
　
第２　当審において通知した拒絶の理由
　当審において平成２２年１０月１２日付けで通知した拒絶の理由の概要は、次のとおりである。
　
「この出願は、発明の詳細な説明の記載及び特許請求の範囲の記載が下記の点で、特許法第３６条第４項及び同条第６項第１、２号に規定する要件を満たしていない。 
 　 
 　　　　　　　　　　　　　　　　　記 
・・・
　（４）本願発明の目的は、「モアレを目立たなくすることの可能な表示装置を提供すること」（【０００８】）であり、当該モアレは、「レンズシートを構成する各プリズムよって形成される規則正しい繰り返し模様と、液晶パネルの各画素を構成するピクセルによって形成される規則正しい繰り返し模様とが相互に干渉して液晶パネルの表面に出現する」ものであって（【０００４】）、「レンズシートの各プリズムの繰り返し模様」と「液晶パネルのピクセルの繰り返し模様」相互の関係によって出現するものである、と認められるところ、特許請求の範囲の請求項１には、「（レンズシートの）立体構造の配列方向の幅が１１０μｍ以上２００μｍ以下であり」とのみ記載され、液晶パネルのピクセルの繰り返し模様の幅に関しては何ら規定されてはいない。すなわち、同請求項１は、モアレが目立つ表示装置をも含むものといえるから、発明の課題を解決するための手段を反映したものとはいえない。また、同請求項１に係る発明は、発明が解決しようとする課題及び発明の技術上の意義が理解できないものである。」（以下、この理由を「理由ａ」という。）
　
　
第３　記載不備（特許法第３６条第４項及び同条第６項第１、２号）について
１　本願明細書の記載
　当審において平成２２年１０月１２日付けで通知した拒絶の理由（上記第２参照。）において指摘した（４）に関連する記載として、本願明細書には、以下のア〜カがある。
　
　ア　「【０００１】
　本発明は、光透過性のレンズシートを内蔵する表示装置に関する。
・・・
　【０００３】
　・・・従来から、面発光源と液晶パネルとの間に、輝度向上用のレンズシートが配置されている。これにより、面発光源から射出された拡散光がレンズシートで集光されるので、正面輝度が増加する。
　【０００４】
　このように、レンズシートは表示装置の表示輝度を高めるために用いられるが、このレンズシートを構成する各プリズムよって形成される規則正しい繰り返し模様と、液晶パネルの各画素を構成するピクセルによって形成される規則正しい繰り返し模様とが相互に干渉して、周期的な縞状のパターン（モアレ）が液晶パネルの表面に出現することがある。そこで、従来は、液晶パネル側に生じる模様のピッチに対してモアレ縞の幅が狭くなるように、レンズピッチを５０μｍ、２５μｍと小さくして対応している（特許文献１）。
　【０００５】
　また、レンズピッチを５０μｍ、２５μｍと小さくしても、液晶パネルピッチとレンズピッチとの兼ね合いによる干渉が生じて周期的なモアレを発生させることがある。そこで、このような場合には、レンズシートと液晶パネルとの間に拡散性のシートを設置したり、レンズシートの裏面にマット処理を施して出射光の配光を調整するなどして対応している。さらに、液晶パネルの表面に表面反射を抑制するためにアンチグレア層として微拡散性のフィラーを塗布・形成したり、液晶パネルの裏面側にも光学シートとのコスレや、密着防止として微拡散性のフィラーを塗布・形成して、シボ加工を施して、レンズシートと液晶パネルとの間で発生しているモアレを低減している。」
　
　イ　「【０００７】
　しかし、このようにレンズピッチを小さくしていくと、輝度上昇に貢献する傾斜面部分に対する、輝度上昇に貢献しない頂部および谷部の割合が増加するので、レンズシートにおいて輝度を充分に上昇させることができなくなる。また、液晶パネルの表に設置されたアンチグレア処理、裏面のシボ処理などの微拡散フィラーにより、正面方向へ出射していた光は拡散されてしまい、輝度の低下を招いてしまっていた。
　【０００８】
　本発明はかかる問題点に鑑みてなされたもので、その目的は、レンズシートのピッチを小さくして輝度の低下をさせたり、或いは、液晶パネルの表裏に正面輝度の低下を招くアンチグレア処理、シボ処理を施さなくても、モアレを目立たなくすることの可能な表示装置を提供することにある。」
　
　ウ　「【０００９】
　本発明の表示装置は、映像信号に応じて駆動されるパネルと、パネルを照明するための光を発する光源と、パネルを駆動する駆動手段とを備えたものである。パネルと光源との間には、光源像分割シートと、拡散シートと、レンズシートとが光源側からこの順に設けられている。光源像分割シートは、当該光源像分割シートの底面と平行な平面に沿って延在する複数の柱状のプリズムを連続的に並列配置して構成されている。レンズシートは、当該レンズシートの底面と平行な平面に沿って延在する複数の柱状のプリズムを連続的に配列するとともに、各プリズムの延在方向が光源像分割シートの各プリズムの延在方向と互いに直交するように配置して構成されている。レンズシートの各プリズムの配列方向の幅は１１０μｍ以上２００μｍ以下となっている。パネルは複数の画素ｕを有しており、各画素ｕは、複数色のドットを同色につき複数個有しており、ドットは、ストライプ配列となっている。駆動手段は、各画素ｕ中に含まれる同色の複数のドットにおいて明暗が生じるようにパネルを駆動すると共に、ストライプ配列方向において、各画素ｕ中に含まれる同色の複数のドットにおいて明に相当するドットと、各画素ｕ中に含まれる同色の複数のドットにおいて暗に相当するドットとが交互に配列されるようにパネルを駆動するようになっている。」
　
　エ　「【００１０】
　本発明の表示装置では、駆動手段によって、一画素中に含まれる同色の複数のピクセルにおいて明暗が生じるようにパネルが駆動されるので、立体構造の配列方向の幅が１１０μｍ以上となっていても、レンズシートを構成する各プリズムよって形成される規則正しい繰り返し模様と、パネルの各画素を構成するピクセルによって形成される規則正しい繰り返し模様とが相互に干渉し難くなる。
・・・
　【００１４】
　本発明の表示装置によれば、駆動手段を用いて一画素中に含まれる同色の複数のピクセルにおいて明暗が生じるようにパネルを駆動するようにしたので、立体構造の配列方向の幅を１１０μｍ以上とした場合に、レンズシートのピッチを小さくして輝度の低下をさせたり、或いは、液晶パネルの表裏に正面輝度の低下を招くアンチグレア処理、シボ処理を施さなくても、モアレを目立たなくすることができる。」
　
　オ　「【００１７】
　図１は本発明の一実施の形態に係る表示装置１の機能ブロックを表すものである。この表示装置１は、映像信号に応じて各画素が駆動される透過型の液晶パネル２０と、この液晶パネル２０の背後に配置された照明装置１０と、液晶パネル２０を駆動して映像を表示させるための駆動回路４０とを備えており、液晶パネル２０の表面が観察者（図示せず）側に向けられている。・・・図２は互いに重ね合わされた照明装置１０および液晶パネル２０の断面構造を表すものである。
　【００１８】
　照明装置１０は光源１１を有しており、光源１１の液晶パネル２０側には、光源像分割シート１２、拡散シート１３、レンズシート１４が光源１１側から順に配置されており、他方、光源１１の背後には、反射シート１５が配置されている。・・・
　【００１９】
　光源１１は、複数の線状光源１１Ａが等間隔（例えば２０μｍ間隔）で並列配置されたものである。・・・
　【００２０】
　反射シート１５は、例えばアルミニウム（Ａｌ）、発泡ＰＥＴ（ポリエチレンテレフタレート）およびポリカーボネートを光源１１側から順に積層したものであり、光源１１からの射出光の一部を、液晶パネル２０の方向へ反射するようになっている。・・・
　【００２１】
　光源像分割シート１２は、例えば、透明な合成樹脂からなり、・・・。この光源像分割シート１２は、その底面１２Ａが液晶パネル２０の表面と平行となるように配置されている。光源像分割シート１２の液晶パネル２０側の表面には、図３にその断面の一例を拡大して示したように、光源像分割シート１２の底面１２Ａと平行な平面に沿って延在する複数の柱状のプリズム１２−１が連続的に並列配置されている。ここで、各プリズム１２−１は、各プリズム１２−１の延在方向が各線状光源１１Ａの延在方向（例えば水平方向）と互いに平行となるように配置されていることが好ましいが、各線状光源１１Ａの延在方向に対して光学特性上許容できる範囲内で交差するように配置されていてもよい。・・・
　【００２２】
　これにより、光源像分割シート１２は、一の線状光源１１Ａから射出された光のうち底面１２Ａまたは傾斜面１２Ｃ，１２Ｄに臨界角未満の角度で入射した光を液晶パネル２０側に射出する一方で、臨界角以上の角度で入射した光を全反射するので、一の線状光源１１Ａがつくる光源像を複数に分割する機能を有する。つまり、この光源像分割シート１２は、一の線状光源１１Ａがつくる光源像を複数に分割し、分割した後の各光源像により形成される光源像同士の間隔を線状光源１１Ａ同士の間隔よりも狭くするので、分割した後の光源像の輝度レベル（最大値）と分割した後の光源像同士の間の輝度レベル（最小値）との差を、分割前の光源像の輝度レベル（最大値）と分割前の光源像間の輝度レベル（最小値）との差よりも小さくし、照明輝度のむらを低減することができる。・・・
　【００２３】
　拡散シート１３は、例えば、比較的厚手の板状の透明樹脂の内部に拡散材（フィラ）を分散して形成された拡散板、比較的薄手のフィルム状の透明樹脂上に拡散材を含む透明樹脂を塗布して形成された拡散フィルム、またはこれらを組み合わせたものである。・・・この拡散シート１３は、光源像分割シート１２がつくる光源像を拡散する機能を有する。
　【００２４】
　レンズシート１４は、光源像分割シート１２と同様、例えば、透明な合成樹脂からなる。このレンズシート１４は、その底面１４Ａが液晶パネル２０の表面と平行となるように配置されている。レンズシート１４の液晶パネル２０側の表面には、図４にその断面の一例を拡大して示したように、レンズシート１４の底面１４Ａと平行な平面に沿って延在する複数の柱状のプリズム１４−１（立体構造）が延在方向に沿って連続的に配列されている。ここで、各プリズム１４−１は、各プリズム１４−１の延在方向が光源像分割シート１２の各プリズム１２−１の延在方向（例えば水平方向）と互いに直交するように配置されていることが好ましいが、各プリズム１２−１の延在方向に対して光学特性上許容できる範囲内で交差するように配置されていてもよい。各プリズム１４−１は、例えば、頂角θ３の頂部１４Ｂに接する傾斜面１４Ｃ，１４Ｄを有する三角柱形状となっている。これら傾斜面１４Ｃ，１４Ｄは、底面１４Ａに対して底角θ４で斜めに対向して配置されている。このとき、各プリズム１４−１の横幅（レンズシート１４におけるピッチＰｗ）は、１１０μｍ以上となっている。
　【００２５】
　ここで、図５に示したように、各プリズム１４−１のピッチＰｗを１１０μｍ以上とすることにより、正面輝度を最大化することが可能である。・・・なお、各プリズム１４−１のピッチＰを５００μｍよりも大きくすると、各プリズム１４−１の高さ（厚さ）も大きくなるので、各プリズム１４−１の形成されている基材部分の厚さも厚くすることが必要となる。
・・・
　【００２７】
　・・・レンズシート１４は、拡散シート１３で拡散された光のうち各プリズム１４−１の延在方向と直交する方向（例えば水平方向）の成分を液晶パネル２０と直交する方向に屈折透過させ、これにより、指向性を増加させるようになっている。・・・
　【００２８】
　液晶パネル２０は、観察側の透明基板２９と照明装置１０側の透明基板２２との間に液晶層２５を有する積層構造となっている。具体的には、照明装置１０側から順に、偏光板２１、透明基板２２、透明電極２３、配向膜２４、液晶層２５、配向膜２６、透明電極２７、カラーフィルタ２８、透明基板２９および偏光板３０を有する。
・・・
　【００３４】
　カラーフィルタ２８は、液晶層２５を透過してきた光を、例えば、赤（Ｒ）、緑（Ｇ）および青（Ｂ）の三原色にそれぞれ色分離したり、または、Ｒ、Ｇ、Ｂおよび白（Ｗ）などの四色にそれぞれ色分離するためのカラーフィルタを、透明電極２３の配列と対応させて配列したものである。フィルタ配列（画素配列）としては、一般的に、ストライプ配列や、ダイアゴナル配列、デルタ配列、レクタングル配列のようなものがある。
　【００３５】
　ここで、ストライプ配列とは、図６に例示したように、方形状の各色のフィルタ２８Ｒ，２８Ｇ，２８Ｂを各色ごとに一の方向（図６では紙面の上下方向）に配列すると共に、各色のフィルタ２８Ｒ，２８Ｇ，２８Ｂを一の方向に沿って周期的に配置したものである。・・・
　【００３７】
　駆動回路４０は、液晶パネル２０内の各透明電極２３へ映像信号に基づく駆動電圧を供給するＸドライバ（データドライバ）４１と、液晶パネル２０内の透明電極２７を図示しない走査線に沿って順次駆動するＹドライバ（ゲートドライバ）４２と、これらＸドライバ４１およびＹドライバ４２を制御する制御部４３と、外部からの映像信号を処理してＲＧＢ信号を生成する映像処理部４４と、この映像処理部４４からのＲＧＢ信号を記憶するフレームメモリである映像メモリ４５とから構成されている。
　【００３８】
　映像処理部４４は、カラーフィルタ２８が、各画素を構成するピクセルの組み合わせがほぼ一義的に決まってしまうようなフィルタ配列となっている場合に、映像信号中に、表示輝度が低階調や中間階調となるような非高階調信号が含まれているときには、以下に示す処理を行い、・・・。
・・・
　【００４０】
　・・・映像処理部４４は、ＲＧＢ信号が非高階調信号に該当するか否かを判定し、それに該当する場合には、そのＲＧＢ信号に含まれるＲ信号、Ｇ信号およびＢ信号の少なくとも１つに対して補正を行う。
　【００４１】
　一画素あたりの面積を変えずに補正を行う場合、例えばＲ信号に対してだけ補正を行う場合には、図１０に示したように、Ｒ信号の入力対象である２つのＲ用ピクセル３１Ｒのうち一方をメインセル３１Ｒｍとし、他方をサブセル３１Ｒｓとした上で、メインセル３１Ｒｍおよびサブセル３１Ｒｓにより得られる表示輝度（平均輝度）がＡｒとなるように、メインセル３１Ｒｍの表示輝度をサブセル３１Ｒｓの表示輝度より大きくし、サブセル３１Ｒｓの表示輝度をメインセル３１Ｒｍの表示輝度より小さくする。つまり、一画素中の同色において明暗を設けている。このとき、各画素間で、メインセル３１Ｒｍと、サブセル３１Ｒｓとが互いに隣接しないようにすることが好ましい。つまり、表示画素において、各画素中に含まれる同色の複数のピクセルにおいて明に相当するメインセル３１Ｒｍと、各画素中に含まれる同色の複数のピクセルにおいて暗に相当するサブセル３１Ｒｓとが交互に（互い違いに）配列されていることが好ましい。・・・」
　
　カ　「【００４７】
　次に、このようにして形成したレンズフィルム１２，１３を内蔵する表示装置１において、画像表示をする際の基本動作について説明する。
　【００４８】
　まず、照明装置１０において、光源１１からの射出光を光源像分割シート１２で微小光束に分割し、分割により得られる光源像を拡散シート１３で拡散し、レンズシート１４で指向性を高めた後に、液晶パネル２へ射出する。
　【００４９】
　そして液晶パネル２０において、照明装置１０からの入射光を、透明電極２３と対向電極としての透明電極２７との間に画素ごとに印加された電圧の大きさに応じて透過させ、カラーフィルタ２８によって色分離して観察側に射出する。これにより、カラーの画像表示が行われる。
　【００５０】
　ところで、上記したように、カラーフィルタ２８が、画素配列がほぼ一義的に決まってしまうようなフィルタ配列（例えばストライプ配列）となっている場合には、各画素を構成するピクセルの組み合わせによって形成される規則正しい繰り返し模様と、液晶パネル２０に最も近接して配置されている光学部品であるレンズシート１４を構成する各プリズム１４−１によって形成される規則正しい繰り返し模様とが相互に干渉して、周期的な縞状のパターン（モアレ）が液晶パネル２０の表面に出現する可能性がある。
　【００５１】
　また、液晶パネル２０に最も近接して配置されている光学部品が周期構造をなしている場合に、その周期構造のピッチを１００μｍを超える程度に大きくした場合には、上記と同様、周期的な縞状のパターン（モアレ）が液晶パネル２０の表面に出現する可能性がある。
　【００５２】
　例えば、表１に示したように、全画素を同一の輝度にした場合に、その輝度レベルを最大輝度を１００％として、８０％、６０％、４０％、２０％と徐々に低下させていくと、ピッチを８０μｍとしたときに、輝度レベルが４０％および２０％において、幅が約２ｍｍのモアレを視認することができ、ピッチを１６０μｍとしたときに、輝度レベルが６０％、４０％および２０％において、幅が約２ｍｍのモアレを視認することができ、さらに、ピッチを１８５μｍとしたときには、輝度レベルが６０％、４０％および２０％において、幅が２ｍｍを超えるモアレをはっきりと視認することができ、ピッチを２００μｍとしたときに、輝度レベルが６０％、４０％および２０％において、幅が約２ｍｍのモアレを視認することができた。他方、ピッチを５０μｍとしたときには、輝度レベルがいずれの場合においても、モアレを視認することができなかった。なお、表１中の白丸はモアレを視認できなかったことを示し、白三角は幅が約２ｍｍのモアレを視認することができたことを示し、バツは幅が２ｍｍを超えるモアレをはっきりと視認することができたことを示している。
　【００５３】
 　　【表１】
　　　　略
　【００５４】
　そこで、従来は、液晶パネル２０に最も近接して配置されている光学部品が周期構造をなしている場合には、その周期構造のピッチを５０μｍ程度に狭くしたり、または、周期構造をなしている光学部品と、液晶パネル２０との間に、周期構造を有しない拡散シートなどを設けて、モアレを目立たなくしていた。
　【００５５】
　このモアレは、表１から、液晶パネル２０の表面のうち表示輝度が高階調となっている領域ではほとんど目立たないが、表示輝度が低階調や中間階調となっている領域で目立つという特徴を有していると言える。
　【００５６】
　そこで、本実施の形態では、カラーフィルタ２８が、画素配列がほぼ一義的に決まってしまうようなフィルタ配列（例えばストライプ配列）となっている場合には、表示輝度が低階調や中間階調となる領域において、一画素中の同色において明暗を設けたり、一画素中の同色において明暗を設けると共に一画素の面積を大きくしている。
　【００５７】
　例えば、表２に示したように、表示輝度が低階調や中間階調となる領域において、図１０に例示したような画素配列とした場合に、その輝度レベルを最大輝度を１００％として、８０％、６０％、４０％、２０％と徐々に低下させていっても、いずれの場合においても、輝度むらを視認することができなかった。
　【００５８】
　　【表２】
　　　　略
　【００５９】
　これにより、レンズシート１４を構成する各プリズム１４−１のピッチＰｗを１１０μｍ以上５００μｍ以下とした場合であっても、高階調領域においてモアレが発生していたとしても目立たず、また、非高階調領域（低階調領域および中間階調領域）においてもモアレを目立たなくすることができる。」
　
２　理由ａについての当審の判断
　ア　上記１イ（【０００８】）及びウによれば、本願発明が解決しようとする課題は、「モアレを目立たなくすることの可能な表示装置を提供すること」であり、また、上記１ア（【０００４】）及びカ（【００５０】）によれば、当該「モアレ」は、「レンズシートを構成する各プリズムよって形成される規則正しい繰り返し模様と、液晶パネルの各画素を構成するピクセルによって形成される規則正しい繰り返し模様とが相互に干渉して」、「液晶パネルの表面に出現する」ものであって、「レンズシートを構成する各プリズムよって形成される規則正しい繰り返し模様」と「液晶パネルの各画素を構成するピクセルによって形成される規則正しい繰り返し模様」との相互の関係によって出現するものであると認められる。しかるところ、本願の請求項１には、「レンズシートの各プリズムの配列方向の幅」の値について、「１１０μｍ以上２００μｍ以下であ」ることが記載されているものの、「（液晶）パネルの各画素を構成するピクセルの繰り返し模様の幅」の値については何ら規定されていない。すなわち、「（液晶）パネルの各画素を構成するピクセルの繰り返し模様の幅」の値について何ら規定されていない本願発明は、モアレが目立つ表示装置をも含むものと解され、発明が解決しようとする課題及び発明の技術上の意義が理解できないものである。
　
　イ　この点に関し、本願明細書には、
　（ア）「本発明の表示装置では、駆動手段によって、一画素中に含まれる同色の複数のピクセルにおいて明暗が生じるようにパネルが駆動されるので、立体構造の配列方向の幅が１１０μｍ以上となっていても、レンズシートを構成する各プリズムよって形成される規則正しい繰り返し模様と、パネルの各画素を構成するピクセルによって形成される規則正しい繰り返し模様とが相互に干渉し難くなる。」（上記１エ（【００１０】））、
　（イ）「本発明の表示装置によれば、駆動手段を用いて一画素中に含まれる同色の複数のピクセルにおいて明暗が生じるようにパネルを駆動するようにしたので、立体構造の配列方向の幅を１１０μｍ以上とした場合に、レンズシートのピッチを小さくして輝度の低下をさせたり、或いは、液晶パネルの表裏に正面輝度の低下を招くアンチグレア処理、シボ処理を施さなくても、モアレを目立たなくすることができる。」（上記１エ（【００１４】））、
　（ウ）「本実施の形態では、カラーフィルタ２８が、画素配列がほぼ一義的に決まってしまうようなフィルタ配列（例えばストライプ配列）となっている場合には、表示輝度が低階調や中間階調となる領域において、一画素中の同色において明暗を設けたり、一画素中の同色において明暗を設けると共に一画素の面積を大きくしている。例えば、表２に示したように、表示輝度が低階調や中間階調となる領域において、図１０に例示したような画素配列とした場合に、その輝度レベルを最大輝度を１００％として、８０％、６０％、４０％、２０％と徐々に低下させていっても、いずれの場合においても、輝度むらを視認することができなかった。・・・これにより、レンズシート１４を構成する各プリズム１４−１のピッチＰｗを１１０μｍ以上５００μｍ以下とした場合であっても、高階調領域においてモアレが発生していたとしても目立たず、また、非高階調領域（低階調領域および中間階調領域）においてもモアレを目立たなくすることができる。」（上記１カ（【００５６】〜【００５９】））、
と記載され、また、請求人は、平成２２年１２月１３日の意見書において、
　（エ）「本願発明では、「前記駆動手段は、各画素ｕ中に含まれる同色の複数のドットにおいて明暗が生じるように前記パネルを駆動すると共に、ストライプ配列方向において、各画素ｕ中に含まれる同色の複数のドットにおいて明に相当するドットと、各画素ｕ中に含まれる同色の複数のドットにおいて暗に相当するドットとが交互に配列されるように前記パネルを駆動する」ので、液晶パネル側のピッチとは無関係にモアレが生じ難くなっている。つまり、本願発明において、パネル側のピッチを規定していないのは、パネル側のピッチとは無関係にモアレが生じ難くなっているからである。」（【意見の内容】（３）４）、との主張を行っている。
　しかしながら、「駆動手段」が、「各画素ｕ中に含まれる同色の複数のドットにおいて明暗が生じるように前記パネルを駆動すると共に、ストライプ配列方向において、各画素ｕ中に含まれる同色の複数のドットにおいて明に相当するドットと、各画素ｕ中に含まれる同色の複数のドットにおいて暗に相当するドットとが交互に配列されるように前記パネルを駆動する」ようになすことにより、「液晶パネル側のピッチとは無関係にモアレが生じ難くな」るとする技術的理由は不明である。また、本願明細書には、「輝度むらを視認することができなかった」とする【表２】（上記１カ【００５８】）が示されているが、該【表２】は、パネル側に画素ピッチの値が具体的にいくらなのか明らかではなく、「パネル側のピッチとは無関係にモアレが生じ難くなっている」ことを裏付けるものとはいえない。
　
　ウ　以上のとおり、（液晶）パネルの各画素を構成するピクセルの繰り返し模様の幅について何らの規定もされていない本願発明は、モアレが目立つ表示装置をも含むものと解され、発明が解決しようとする課題及び発明の技術上の意義が理解できないものであり、本願明細書の発明の詳細な説明は、本願発明の技術的意義を当業者が理解できる程度に記載したものということはできない。
　
　
第４　むすび
　以上のとおり、本願明細書の発明の詳細な説明は、本願発明の技術的意義を当業者が理解できる程度に記載したものということはできないから、特許法第３６条第４項第１号の経済産業省令（特許法施行規則第２４条の２）で定めるところにより記載されたものであるということはできない。
　
　よって、結論のとおり審決する。